(57)【要約】【課題】  ユーザが着信に対して応答しない又は応答できない不応答着信の履歴を記憶し、効果的に不応答着信履歴を転送可能にする携帯通信装置およびその着信履歴通知方法を提供する。【解決手段】  携帯通信装置１０は、時間を管理するタイマ１８と、送信先アドレスやタイマ設定を記憶する自動送付設定部１９ａおよび不応答着信履歴情報を記憶する不応答着信履歴部１９ｂを含む記憶部１９と、ユーザによる操作を検出する操作検出部１６とを備えている。不応答着信履歴があると、タイマ設定した時間の経過をタイマ１８で計測して、タイムアウト後に指定された送信先へ不応答着信履歴を自動的に送信する。【選択図】図１
2008153906.tif 000002
【特許請求の範囲】
【請求項１】
不応答着信履歴を記憶する記憶部を有し、該記憶部に記憶された前記不応答着信履歴を予め決められた他の通信装置へ転送可能な携帯通信装置において、
前記記憶部に記憶された不応答着信履歴の着信に関連する時間を管理するタイマと、該タイマにより管理される時間中のユーザによる操作を検出する操作検出部とを備え、
前記タイマの時間および前記操作検出部の操作検出結果に基づき前記不応答着信履歴を前記他の通信装置へ自動送信することを特徴とする携帯通信装置。
【請求項２】
前記記憶部は、前記不応答着信履歴に関連する情報を記憶する不応答着信履歴部と、前記不応答着信履歴を送信する送信先の通信装置のアドレスおよび前記タイマが管理する時間情報を記憶する自動送付設定部とを含むことを特徴とする請求項１に記載の携帯通信装置。
【請求項３】
前記タイマは、前記不応答着信の着信からの経過時間を管理することを特徴とする請求項１又は２に記載の携帯通信装置。
【請求項４】
前記タイマは、前記不応答着信の着信時刻の時間帯を管理することを特徴とする請求項１又は２に記載の携帯通信装置。
【請求項５】
前記操作検出部は、ユーザによるキー入力部の操作の有無を検出することを特徴とする請求項１乃至４の何れかに記載の携帯通信装置。
【請求項６】
前記操作検出部は、フリップ開閉動作や振動を検出するセンサを備えることを特徴とする請求項１乃至５の何れかに記載の携帯通信装置。
【請求項７】
無線基地局を介して他の通信装置と通信し、該他の通信装置からの着信に応答のない不応答着信履歴を記憶する携帯通信装置の着信履歴通知方法において、
前記不応答着信履歴の有無を判断するステップと、
前記不応答着信履歴があるとき、当該不応答着信履歴をユーザにより予め決められた他の通信装置へ送信する送信時間帯であるか否かをタイマにより判断するステップと、
前記送信時間帯中にユーザが何らかの操作をしたか否かを判断するステップとを備え、
前記送信時間帯中にユーザによる操作が検出されないとき、前記不応答着信履歴を前記予め決められた他の通信装置へ送信することを特徴とする携帯通信装置の着信履歴通知方法。
【請求項８】
前記不応答着信履歴の送信後に前記不応答着信履歴の記憶を消去するステップを更に備えることを特徴とする請求項７に記載の携帯通信装置の着信履歴通知方法。
【請求項９】
前記送信時間帯は、前記不応答着信の着信時間からユーザにより予め決められた一定時間であることを特徴とする請求項７又は８に記載の携帯通信装置の着信履歴通知方法。
【請求項１０】
前記送信時間帯は、ユーザの行動パターンに基づき決められることを特徴とする請求項７、８又は９に記載の携帯通信装置の着信履歴通知方法。
【請求項１１】
前記操作検出ステップで検出される操作は、前記携帯電話装置の入力キーの操作、フリップ開閉操作および振動を含むことを特徴とする請求項７乃至１０の何れかに記載の携帯通信装置の着信通知方法。
【発明の詳細な説明】
【技術分野】
【０００１】
本発明は携帯通信装置およびその着信履歴通知方法に関し、特にそれぞれ比較的狭いサービスエリアを有する複数の無線基地局を介して他の通信装置と通信する携帯電話等の携帯通信装置およびその着信履歴通知方法に関する。
【背景技術】
【０００２】
小型且つ高機能化に伴い、携帯電話、ＰＨＳ（Personal
Handy-phone System）およびＰＤＡ（Personal Digital Assistant）等の携帯通信装置（以下、単に「携帯電話」という場合もある）は広く普及している。斯かる携帯電話の普及と共に複数の携帯電話を所持するユーザが増えている。
【０００３】
例えば、会社等の組織においてその社員や従業員に支給された構内ＰＨＳを使用することにより、１台で内線および外線が使用可能であり、内線電話を携帯電話で受けることが可能なモバイルセントレックスも普及し始めている。その他に個人で契約した私用の携帯電話を所有しているケースが一般的である。
【０００４】
斯かる携帯電話は、会社の勤務時間中には、内線を使用するために常に連絡がとれるように胸ポケット等に入れて携帯する必要がある。しかし、私用の携帯電話も持ち歩く場合には、２台の携帯電話を携帯する必要が生じる。これらの携帯電話の小型化および軽量化が進んでいても、常時２台の携帯電話を携帯するには重く且つ嵩張るので、ユーザは煩わしいと感じるのが一般的である。そこで、携帯電話を会社での作業中には事務所の机上等に置き、通勤時にはカバンやハンドバックの中に入れておく場合が多い。
【０００５】
例えば、会社内では、事務所で仕事をする場合、作業場で仕事をする場合、会議室で会議をする場合等の如く種々のケースがあり得る。そこで、私用の携帯電話に着信があった否かの確認（即ち、不応答着信履歴の確認）は困難であり、例えば事務所に戻った時又は休憩時間に行うのが一般的である。しかし、この場合には、緊急時の連絡が取れない又はその場合の対応が遅れてしまうという課題がある。
【０００６】
斯かる事態や課題を解決又は軽減するために応用可能な種々の技術が提案又は開示されている。着信情報を着信情報保存メモリに保存し、着信情報抽出処理部により着信履歴リストの形式に変換して電子メールを作成してユーザが端末アダプタ装置から離れた場所にいても着信履歴情報の確認を可能にする端末アダプタ装置が開示されている（例えば、特許文献１参照。）。また、メール機能および自動送付機能を有し、着信履歴情報をメールにより他の通信装置へ自動的に送付する着信履歴自動送付機能付き携帯電話機および着信履歴自動送付方法が開示されている（例えば、特許文献２参照。）。
【０００７】
【特許文献１】特開２００３−１２５１００号公報（第３−４頁、第１図）
【特許文献２】特開２００２−５７７５０号公報（第４頁、第１図）
【発明の開示】
【発明が解決しようとする課題】
【０００８】
上述の如き従来技術は、幾つかの課題を有する。即ち、従来技術は、携帯電話を自宅に忘れた場合のように全く確認できないケースにおいては有効的であるが、事務所に置いておき、たまに確認する場合には問題がある。この機能を常にＯＮにしておいた場合は、事務所に戻った際に確認した着信履歴も設定した携帯電話にメールが送信されてしまい、不要なメール発信とそれに伴う課金が発生してしまうという問題がある。また、それを防ぐために事務所に戻り私用の携帯電話の着信履歴を確認した際に、一度着信履歴自動送付機能をＯＦＦし、再度ＯＮにすればよいが、毎回その操作を行う必要があるというのは非常に煩わしいものである。
【０００９】
本発明は、従来技術の上述の如き課題に鑑みなされたものであり、斯かる課題の全て又は幾つかを解消又は軽減可能な携帯通信装置およびその受信履歴通知方法を提供することを主たる目的とする。
【課題を解決するための手段】
【００１０】
本発明による携帯通信装置およびその着信履歴通知方法は、次のような特徴的な構成を採用している。
【００１１】
（１）不応答着信履歴を記憶する記憶部を有し、該記憶部に記憶された前記不応答着信履歴を予め決められた他の通信装置へ転送可能な携帯通信装置において、
前記記憶部に記憶された不応答着信履歴の着信に関連する時間を管理するタイマと、該タイマにより管理される時間中のユーザによる操作を検出する操作検出部とを備え、
前記タイマの時間および前記操作検出部の操作検出結果に基づき前記不応答着信履歴を前記他の通信装置へ自動送信する携帯通信装置。
（２）前記記憶部は、前記不応答着信履歴に関連する情報を記憶する不応答着信履歴部と、前記不応答着信履歴を送信する送信先の通信装置のアドレスおよび前記タイマが管理する時間情報を記憶する自動送付設定部とを含む上記（１）の携帯通信装置。
（３）前記タイマは、前記不応答着信の着信からの経過時間を管理する上記（１）又は（２）の携帯通信装置。
（４）前記タイマは、前記不応答着信の着信時刻の時間帯を管理する上記（１）又は（２）の携帯通信装置。
（５）前記操作検出部は、ユーザによるキー入力部の操作の有無を検出する上記（１）乃至（４）の何れかの携帯通信装置。
（６）前記操作検出部は、フリップ開閉動作や振動を検出するセンサを備える上記（１）乃至（５）の何れかの携帯通信装置。
（７）無線基地局を介して他の通信装置と通信し、該他の通信装置からの着信に応答のない不応答着信履歴を記憶する携帯通信装置の着信履歴通知方法において、
前記不応答着信履歴の有無を判断するステップと、
前記不応答着信履歴があるとき、当該不応答着信履歴をユーザにより予め決められた他の通信装置へ送信する送信時間帯であるか否かをタイマにより判断するステップと、
前記送信時間帯中にユーザが何らかの操作をしたか否かを判断するステップとを備え、
前記送信時間帯中にユーザによる操作が検出されないとき、前記不応答着信履歴を前記予め決められた他の通信装置へ送信する携帯通信装置の着信履歴通知方法。
（８）前記不応答着信履歴の送信後に前記不応答着信履歴の記憶を消去するステップを更に備える上記（７）の携帯通信装置の着信履歴通知方法。
（９）前記送信時間帯は、前記不応答着信の着信時間からユーザにより予め決められた一定時間である上記（７）又は（８）の携帯通信装置の着信履歴通知方法。
（１０）前記送信時間帯は、ユーザの行動パターンに基づき決められる上記（７）、（８）又は（９）の携帯通信装置の着信履歴通知方法。
（１１）前記操作検出ステップで検出される操作は、前記携帯電話装置の入力キーの操作、フリップ開閉操作および振動を含む上記（７）乃至（１０）の何れかの携帯通信装置の着信通知方法。
【発明の効果】
【００１２】
本発明の携帯通信装置およびその着信履歴通知方法によると、次のような実用上の特有の効果が得られる。即ち、時間を管理するタイマおよびユーザによる携帯通信装置の操作を検出する操作検出部を備えているので、ユーザにより予め設定された時間がタイムアウトした時のみ不応答着信履歴を予め設定されたメールアドレスへ自動的に送信する。従って、不応答着信履歴が不必要に送信されるのを効果的に防止できる。また、送信された不応答着信履歴は消去されるので、不応答着信履歴を記憶するためのメモリの記憶容量を抑えることができる。更に、この時間は、ユーザが自己の都合又は生活パターンに応じて適宜に設定できる。
【発明を実施するための最良の形態】
【００１３】
以下、本発明による携帯通信装置およびその着信履歴通知方法の好適な実施の形態の構成および動作を、添付図面を参照して詳細に説明する。
【００１４】
先ず、図１は、本発明による携帯通信装置（以下、携帯電話という場合もある）の好適な実施の形態の概略構成を示す機能ブロック図である。この携帯電話１０は、アンテナ１１、送受信部１２、信号処理部１３、表示部１４、キー入力部１５、操作検出部１６、制御部（ＣＰＵ：中央処理装置）１７、タイマ１８および記憶部（又はメモリ）１９により構成されている。
【００１５】
図１に示す本発明による携帯電話１０において、信号処理部１３、表示部１４、キー入力部１５、操作検出部１６、タイマ１８および記憶部１９は、制御部１７に接続されている。アンテナ１１は、送受信部１２を介して信号処理装置１３に接続されている。また、記憶部１９は、自動送付設定部１９ａおよび不応答着信履歴部１９ｂを含んでいる。
【００１６】
次に、携帯電話１０を構成する各部１１〜１９の主要機能を簡単に説明する。アンテナ１１は、他の通信装置と通信するため、携帯電話１０が存在する場所をサービスエリアに含む１以上の無線基地局（図示せず）と無線通信する。換言すると、アンテナ１１は、無線基地局を介して無線通信するため電波を送受信する。送受信部１２は、アンテナ１１を介して送受信する無線周波数信号の増幅等を行う。信号処理部１３は、制御部１７の制御下で、送受信部１２で送受信される信号の変調又は復調等の信号処理を行う。
【００１７】
表示部１４は、液晶表示パネル（ＬＣＤ）等により構成され、後述する如き信号を携帯電話１０のユーザ（又はオペレータ）のために表示する。キー入力部１５は、複数のキー又は釦等により構成され、ユーザが通信相手の電話番号や各種設定データの入力又は携帯電話１０のモード切替等を行う。操作検出部１６は、携帯電話１０のユーザが何らかの操作を行ったか否かを検出する。タイマ１８は、後述する目的で、時間経過又は時刻の計測又は管理を行う。記憶部１９は、例えば半導体ＲＡＭ（ランダムアクセスメモリ）であり、各種情報又はデータを記憶又は保存する。記憶部１９の自動送信設定部１９ａは、自動送信設定の内容を記憶している。不応答着信履歴部１９bは、ユーザが着信に対して応答しなかった不応答着信の着信履歴を記憶する。また、制御部１７は、予め内蔵されたプログラムに従って、携帯電話１０を構成する上述した各部１３〜１９の動作を制御する。
【００１８】
図３は、記憶部１９に含まれている不応答着信履歴部１９bの不応答着信履歴の具体例を示す。即ち、他の通信装置からの着信に対して、携帯電話１０のユーザが応答しなかった場合には、その着信履歴である「発信者番号（電話番号）」、「着信日時」および（発信者番号が携帯電話１０の電話帳に登録されている場合には）その「発信者名」が記憶される。複数の不応答着信があった場合には、それら複数の着信の全てが、時系列的に記憶される。携帯電話１０のユーザは、この不応答着信履歴を制御部１７の制御下で適宜読み出して、表示部１４に表示することにより、必要な処置を行うことが可能である。
【００１９】
他方、図４は、記憶部１９に含まれている自動送付設定部１９aの記憶内容の具体例である、本発明による不応答着信履歴自動送信機能の設定を示している。図４の具体例では、設定として、この機能を無効にする「ＯＦＦ」および有効にする「ＯＮ」である。「ＯＮ」の場合には、携帯電話１０のユーザは、送信（又は転送）先のメールアドレスおよびタイマの時間を入力する。図４に示す具体例では、aiueo@kakikukeko.ne.jpおよびabc@defg.co.jpの２つの送信先が登録されている。また、タイマとして３０分が選択設定されている。従って、携帯電話１０のユーザが着信時から携帯電話１０を何ら操作することなく３０分が経過すると、その着信を登録された２つのメールアドレスの送信先へ自動的に送信されることになる。
【００２０】
次に、図２のフローチャートを参照して、図１に示す本発明の携帯電話１０の動作を説明する。図２は、記憶部１９の自動送付設定部１９ａの設定を「ＯＮ」にしてとき、不応答着信があった場合の不応答着信履歴の自動送信動作を説明するフローチャートである。
【００２１】
先ず、携帯電話１０の着信に対しそのユーザが応答しなかった不応答着信の有無を判断する（ステップＳ１）。不応答着信がないと判断された場合（ステップＳ１：Ｎｏ）には、ステップＳ１へ戻り、不応答着信を待つ。他方、不応答着信ありと判断された場合（ステップＳ１：Ｙｅｓ）には、記憶部１９の不応答着信履歴部１９ｂに、上述の如く「発信者番号」、「発信者名」および「着信日時」等が登録される（ステップＳ２）。そして、タイマ１８がスタートされて経過時間を計測する（ステップＳ３）。
【００２２】
次に、記憶部１９の自動送付設定部１９ａで設定したタイマの時間がタイムアウトしたか否かを判断する（ステップＳ４）。この場合には、図４に示す如くタイマの登録時間を３０分として設定されると仮定する。この設定時間である３０分が経過してタイムアウトした場合（ステップＳ４：Ｙｅｓ）には、記憶部１９の自動送付設定部１９ａの設定に基づき登録された送信先メールアドレスへ不応答着信履歴が自動的に送信又は送付される（ステップＳ５）。そして、不応答着信履歴部１９ｂに記憶された不応答着信履歴は消去され（ステップＳ６）、タイマ１８はリセットされる（ステップＳ７）。
【００２３】
他方、上述したタイムアウトの判定（ステップＳ４）において、タイムアウトしていない、即ち上述の具体例では３０分が経過していないと判断された場合（ステップＳ４：Ｎｏ）には、操作検出部１６により携帯電話１０のユーザがその携帯電話１０を操作したか否かを検出する（ステップＳ８）。ここで、操作検出部１６が検出する操作は、例えばユーザによるキー入力部１５の操作は勿論のこと、携帯電話１０が折畳型である場合には、そのフリップ開閉操作等である。更に、携帯電話１０に振動検出センサを内蔵させて、このセンサが振動を検出する場合も含めてもよい。この振動センサが振動を検出する場合には、ユーザが携帯電話１０を所持し且つ歩行その他の活動中であり、着信に対して応答可能な状態にあると推定されるからである。
【００２４】
携帯電話１０のユーザが上述の如き何らかの操作をしたことを操作検出部１６が検出した場合（ステップＳ８：Ｙｅｓ）には、携帯電話１０のユーザが、例えば着席して携帯電話１０の着信に応答可能な状態になったと推定されるので、タイマ１８をリセットする（ステップＳ９）。そして、不応答着信履歴部１９ｂの不応答着信履歴を消去して（ステップＳ１０）、上述したステップＳ１へ戻り、着信を待ち不応答着信の判断を行う。
【００２５】
上述したステップＳ８の判断において、操作検出がないと判断された場合（ステップＳ８：Ｎｏ）には、新たな不応答着信の有無を判断する（ステップＳ１１）。ここで、新たな不応答着信がある場合（ステップＳ１１：Ｙｅｓ）には、不応答着信履歴部１２ｂに、図３に示す如き不応答着信履歴を追加登録し（ステップＳ１２）、上述したステップＳ４へ戻り、タイムアウト判定を行う。また、ステップＳ１１において、府応答着信がない場合（ステップＳ１１：Ｎｏ）にも、上述したステップＳ４へ戻ってタイムアウト判断する
【００２６】
以上、本発明による携帯通信装置およびその着信履歴通知方法の好適な実施の形態の構成および動作を詳述した。しかし、斯かる実施の形態は、本発明の単なる例示に過ぎず、何ら本発明を限定するものではないことに留意されたい。本発明の要旨や精神を逸脱することなく、特定用途に応じて種々の変更変形が可能であること、当業者は容易に理解できよう。
【００２７】
例えば、上述した実施の形態では、自動送付設定部１９ａは、携帯電話１０の不応答の経過時間をタイマ１８により判断していた。しかし、本発明はこれに限定されず、タイマ１８の時刻設定に基づいて自動転送機能を作動させてもよい。例えば、会社勤務時間帯である９：００〜１７：００中又は就寝時間帯である２１：００〜６：００は自動転送機能を「ＯＮ」とするよう設定することも可能である。
【００２８】
また、本発明による選択的な不応答着信自動転送において、転送した着信履歴を記憶部１９内の特定記憶領域に記憶し、ユーザの操作により表示部１４に表示させて確認可能にすることも有効である。
【図面の簡単な説明】
【００２９】
【図１】本発明による携帯通信装置の好適な実施の形態の全体構成を示す機能ブロック図である。
【図２】図１に示す本発明による携帯通信装置の不応答着信履歴通知動作を説明するフローチャートである。
【図３】図１中の記憶部の不応答着信履歴部に記憶された内容の具体例を示す図である。
【図４】図１中の記憶部の自動送付設定部に記憶された内容の具体例を示す図である。
【符号の説明】
【００３０】
１０    携帯通信装置（携帯電話）
１４    表示部
１５    キー入力部
１６    操作検出部
１８    タイマ
１９    記憶部
１９ａ  自動送付設定部
１９ｂ  不応答着信履歴部
【図１】
2008153906.tif 000003
【図２】
2008153906.tif 000004
【図３】
2008153906.tif 000005
【図４】
2008153906.tif 000006